(57)【要約】  制御ボックスと、制御ボックス内に設けられ、回転動力を発生させるモータ部と、モータ部の回転動力が伝達され、回転動力による回転速度が変速可能な変速比を有する１つ以上のギヤと、１つ以上のギヤと連動し、制御ボックスの外側に変速された回転を伝達する出力部とを含むギヤ群と、ギヤ群の出力部から延びた連結軸と一側部が連結されて出力部が伝達する最終回転数によって回転するが、一側部の回転角度が他側部の回転角度よりも大きく形成される製氷トレイとを含み、出力部は、モータ部の回転動力を１つ以上のギヤを介して受けるが、回転中に２つの変速比により回転できるように互いに異なるモジュールで形成される第１出力部および第２出力部が形成され、第１出力部および第２出力部は、回転中心が同軸上に位置し、予め定められた互いに異なる回転区間に形成される、製氷機が提供される。
2019519747.tif 000002
【特許請求の範囲】
【請求項１】
冷蔵庫に設けられる冷蔵庫制御部から受信した信号によって制御される製氷機であり、
前記製氷機は、
前記信号に対応する回転動力を発生させるモータ部と、
前記モータ部によって回転するギヤ群を含む駆動部と、
前記ギヤ群の動作によってツイストされ、製氷水が収容部に収容されて製氷できる製氷トレイとを含み、
前記製氷トレイは、
前記モータ部が前記信号に対応する前記回転動力または前記ギヤ部内におけるギヤ間の連動時に形成される回転速度差によって、前記製氷トレイの前記ツイストされる回転区間で速度が１回以上変更される、製氷機。
【請求項２】
前記ギヤ群は、
前記モータ部の前記回転動力が伝達され、前記回転動力による回転速度が変速可能な変速比を有する１つ以上のギヤと、前記１つ以上のギヤと連動し、前記制御ボックスの外側に変速された回転を伝達する出力部とを含む、請求項１に記載の製氷機。
【請求項３】
前記出力部は、
前記モータ部の前記回転動力を前記１つ以上のギヤを介して受けるが、回転中に２つの変速比により回転できるように互いに異なるモジュールで形成される第１出力部および第２出力部が形成され、
前記第１出力部および前記第２出力部は、回転中心が同軸上に位置し、前記第１出力部および前記第２出力部それぞれの連動する回転区間は、予め定められた互いに異なる区間に形成され、前記第１出力部および前記第２出力部は、互いに異なるピッチ円に形成され、前記第１出力部の連動および前記第２出力部の連動は、順次に行われる、請求項２に記載の製氷機。
【請求項４】
前記モータ部は、
モータ軸が前記出力部の前記連結軸と互いに反対方向に延びるように配置、および前記モータ軸は前記モータ部のボディと偏心配置のうちの１つ以上の配置形態を含む、請求項２に記載の製氷機。
【請求項５】
前記出力部は、
前記連動するギヤと第１出力部とが連動して回転する区間では、前記第２出力部と連動して回転する区間より前記製氷トレイが高速で回転し、
前記連動するギヤと第２出力部とが連動して回転する区間では、前記第１出力部と連動して回転する区間より前記製氷トレイが高いトルクで回転する、請求項２に記載の製氷機。
【請求項６】
前記製氷トレイは、
前記一側部は前記第１出力部および前記第２出力部の前記連動による回転時に回転し、
前記他側部は前記第１出力部の前記連動による回転時にのみ回転する、請求項５に記載の製氷機。
【請求項７】
前記ギヤ群内における前記１つ以上のギヤのうち前記出力部と連動するギヤは、前記予め定められた互いに異なる回転区間で前記連動する前後に自由回転する流動区間が形成される、請求項２に記載の製氷機。
【請求項８】
前記第２出力部のギヤ歯のうち、
前記第１出力部の連動から前記第２出力部の連動に切り替えられる時点の開始部に位置したギヤ歯は、他のギヤ歯より高さが低く形成される、請求項２に記載の製氷機。
【請求項９】
前記ギヤ群は、
前記製氷トレイの一側部に設けられる連結部に予め定められた長さだけ、前記信号による回転動力によって回転し、前記連結部の回転方向に形成される第１ギヤ部と、
前記モータ部のモータ軸に設けられ、前記第１ギヤ部に対応する位置に形成され、前記第１ギヤ部と互いに噛み合って連動する第２ギヤ部とを含み、
前記第１ギヤ部は、
前記複数のギヤを含み、それぞれのギヤは、前記回転動力によって回転する前記連結部の回転中心から互いに異なる半径上に形成されるが、互いに回転区間が分離されて形成され、
前記第２ギヤ部は、
前記第１ギヤ部に対応するように前記第１ギヤ部の前記複数のギヤのそれぞれに対応する複数のギヤを含む、請求項１に記載の製氷機。
【請求項１０】
前記第１ギヤ部および前記第２ギヤ部の間に位置して前記回転動力を前記第１ギヤ部に伝達し、前記第１ギヤ部と噛み合う第１ミドルギヤと、前記第２ギヤ部と噛み合う第２ミドルギヤとを含む第３ギヤ部を含み、
前記第３ギヤ部は、
前記第１ギヤ部および第２ギヤ部の間の互いに異なる回転方向を補償できるように、前記第１ミドルギヤおよび前記第２ミドルギヤが配置されるが、前記第１ミドルギヤおよび前記第２ミドルギヤの回転中心は、同軸上に位置する、請求項１に記載の製氷機。
【請求項１１】
前記連結部に形成された複数のギヤは、それぞれ第１合わせギヤおよび第２合わせギヤであり、
前記第１合わせギヤおよび前記第２合わせギヤが形成された区間の長さが互いに異なって形成されるが、前記モータ軸とより遅く噛み合う第１合わせギヤが、先に噛み合う前記第２合わせギヤより短く形成される、請求項９に記載の製氷機。
【請求項１２】
前記連結部に形成された複数のギヤは、第１合わせギヤおよび第２合わせギヤであり、
前記連結部上で前記第２合わせギヤよりも大きい半径距離をおいて形成された第１合わせギヤが前記モータ軸とより遅く噛み合い、
前記半径距離の差によって前記連結部の回転が高速から低速に変更される区間が形成される、請求項９に記載の製氷機。
【請求項１３】
前記連結部の異なる回転速度は、前記モータ軸の回転速度および前記ミドルギヤの変速比のうちの１つ以上によって決定される、請求項１に記載の製氷機。
【請求項１４】
前記製氷トレイが前記製氷機の一側に位置したストッパに隣接すると、前記製氷トレイの回転トルクが増加するように前記モータ部の回転がパルス制御される、請求項１に記載の製氷機。
【請求項１５】
前記駆動部は、
前記信号受信部から伝達された前記電気信号を回転情報に変換するドライブと、前記回転情報を前記ドライブから受信して前記回転情報に対応するように回転するモータ部とを含む、請求項１に記載の製氷機。
【請求項１６】
前記冷蔵庫制御部と複数の通信ラインを介して送受信し、
前記信号受信時には、前記複数の電線内で選択的に前記信号を交差または非交差送出する交差出力部から前記信号を受信する、請求項１５に記載の製氷機。
【請求項１７】
前記信号は、パルス信号またはデジタル信号であり、
前記交差出力部によって送信される前記信号に含まれた方向情報に基づいて前記回転情報が決定される、請求項１６に記載の製氷機。
【請求項１８】
前記制御部は、制御波形を受信して前記駆動部を制御する、請求項１５に記載の製氷機。
【請求項１９】
冷蔵庫内に位置する冷蔵庫制御部と、
前記冷蔵庫制御部に含まれ、信号を送信する信号送信部と、
前記冷蔵庫制御部に含まれ、前記信号送信部から受信された前記電気信号を複数の電線を介して送信するが、前記冷蔵庫制御部によって前記複数の電線内で選択的に前記電気信号を交差または非交差送出する交差出力部と、
製氷機とを含み、
前記製氷機は、
前記交差出力部から伝達された前記信号を受信する信号受信部と、
前記信号受信部から受信された前記信号を回転情報に変換するドライブと、前記回転情報を前記ドライブから受信して前記回転情報に対応するように回転するモータ部とを含む駆動部と、
前記モータ部と連結され、前記モータ部の回転によって回転し、製氷水を収容できるように前記冷蔵庫内部の零下の温度に配置される製氷トレイと、
前記モータ部は、ステッピングモータであり、
前記回転情報は、回転速度、回転方向、回転角度およびトルクのうちの１つ以上を含む情報である、冷蔵庫。
【請求項２０】
請求項１に記載の製氷機を含む、冷蔵庫。
【発明の詳細な説明】
【技術分野】
【０００１】
本発明は、製氷機およびこれを含む冷蔵庫に関する。
【背景技術】
【０００２】
一般的に、冷蔵庫は、飲食物を冷蔵保管する冷蔵室と、飲食物を冷凍保管する冷凍室とを具備する本体を備え、本体の後方には、冷媒を圧縮する圧縮機と、冷気を生成するための熱交換器とが設けられる。熱交換器から発生する冷気はファンによって冷蔵室や冷凍室の内部に供給され、冷蔵室や冷凍室を循環して温度の上昇した空気は再び熱交換器を経て冷蔵室または冷凍室に供給されるようにすることで、冷蔵室または冷凍室に保管中の食品を常に新鮮な状態に維持することができる。この時、冷凍室または冷蔵室には、氷を製造するための製氷機が設けられる。
【０００３】
このような冷蔵庫に備えられる製氷機は、水が製氷容器に自動的に供給され、製氷状態をチェックして、製氷が完了すると、製氷された氷を製氷容器から自動的に離脱させて氷保管容器に積載させ、製氷動作のための使用者の別途操作なしに氷が得られ、最近広く用いられている。
【０００４】
このような製氷機は、氷を移氷するために、エジェクタとヒータとを含むタイプと、トレイ（ｔｒａｙ）をツイスト（ｔｗｉｓｔ）させるタイプとがある。トレイをツイストさせるタイプの製氷機ではヒータを用いないことから、エネルギー効率がエジェクタとヒータとを含むタイプより高い。トレイをツイストさせるタイプでは、トレイをツイストさせてから元の位置に復帰させなければならないため、トレイを正回転だけでなく逆回転させる必要がある。このために、モータを直流（ＤＣ）モータを用いる。従来は、長い間、直流モータとしてブラシ（ｂｒｕｓｈ）モータを用いている。
【０００５】
しかしながら、ブラシモータに使用されるカーボン（ｃａｒｂｏｎ）で形成されるブラシから時間の経過とともに粉塵が発生してしまう。これによって、ブラシモータ自体の寿命に限界があり、ブラシモータの周辺（冷蔵庫の内部）に粉塵による汚染が発生する。また、ブラシモータ自体から発生する騒音および振動が激しくて、動作時に使用者に不快感を生じる。それだけでなく、ブラシモータの運転時に消耗する電流量が高くブラシモータから発生する熱が高くて、結局、エネルギー効率を低下させる。さらに、モータの駆動力が製氷トレイのツイストされる過程で一律的に伝達されることにより、効率的に製氷過程が行われていなかった。
【先行技術文献】
【特許文献】
【０００６】
【特許文献１】大韓民国公開特許公報第１０−１３６６５５９号（２０１４．０２．２６）
【発明の概要】
【発明が解決しようとする課題】
【０００７】
本発明の第１実施形態は、モータによって回転する製氷トレイの回転区間を高速−低トルクおよび低速−高トルク区間に区分して、モータの動力を移氷に効率的に適用可能な製氷機を提供することを目的とする。
【０００８】
本発明の第１実施形態は、モータによって回転する製氷トレイの回転区間を区分しかつ、予め定められた区間だけ歯車の結合区間を形成して、２つのギヤの結合によりモータの動力を移氷に効率的に提供可能な製氷機を提供することを目的とする。
【０００９】
本発明の第１実施形態は、モータによって回転する製氷トレイの回転区間を高速−低トルクおよび低速−高トルク区間に区分して、モータの動力を移氷に効率的に適用可能な製氷機を含む冷蔵庫を提供することを目的とする。
【００１０】
本発明の第１実施形態は、モータによって回転する製氷トレイの回転区間を区分しかつ、予め定められた区間だけ歯車の結合区間を形成して、２つのギヤの結合によりモータの動力を移氷に効率的に提供可能な製氷機を含む冷蔵庫を提供することを目的とする。
【００１１】
また、本発明の実施形態は、モータから発生する粉塵などによる汚染がない製氷機を提供するためのものである。
【００１２】
また、本発明の実施形態は、モータの寿命が半永久的な製氷機を提供するためのものである。
【００１３】
また、本発明の実施形態は、モータから発生する熱が少ない製氷機を提供するためのものである。
また、本発明の実施形態は、騒音と振動が少ない製氷機を提供するためのものである。
【００１４】
また、本発明の実施形態は、モータの制御が自由な製氷機を提供するためのものである。
【課題を解決するための手段】
【００１５】
冷蔵庫に設けられる冷蔵庫制御部から受信した信号によって制御される製氷機であり、前記製氷機は、前記信号に対応する回転動力を発生させるモータ部と、前記モータ部によって回転するギヤ群を含む駆動部と、前記ギヤ群の動作によってツイストされ、製氷水が収容部に収容されて製氷できる製氷トレイとを含み、前記製氷トレイは、前記モータ部が前記信号に対応する前記回転動力または前記ギヤ部内におけるギヤ間の連動時に形成される回転速度差によって、前記製氷トレイの前記ツイストされる回転区間で速度が１回以上変更される、製氷機が提供される。
【００１６】
そして、ギヤ群は、前記モータ部の前記回転動力が伝達され、前記回転動力による回転速度が変速可能な変速比を有する１つ以上のギヤと、前記１つ以上のギヤと連動し、前記制御ボックスの外側に変速された回転を伝達する出力部とを含むことができる。
【００１７】
また、出力部は、前記モータ部の前記回転動力を前記１つ以上のギヤを介して受けるが、回転中に２つの変速比により回転できるように互いに異なるモジュールで形成される第１出力部および第２出力部が形成され、前記第１出力部および前記第２出力部は、回転中心が同軸上に位置し、前記第１出力部および前記第２出力部それぞれの連動する回転区間は、予め定められた互いに異なる区間に形成され、前記第１出力部および前記第２出力部は、互いに異なるピッチ円に形成され、前記第１出力部の連動および前記第２出力部の連動は、順次に行われる。
【００１８】
また、モータ部は、モータ軸が前記出力部の前記連結軸と互いに反対方向に延びるように配置、および前記モータ軸は前記モータ部のボディと偏心配置のうちの１つ以上の配置形態を含むことができる。
【００１９】
また、出力部は、連動するギヤと第１出力部とが連動して回転する区間では、前記第２出力部と連動して回転する区間より前記製氷トレイが高速で回転し、前記連動するギヤと第２出力部とが連動して回転する区間では、前記第１出力部と連動して回転する区間より前記製氷トレイが高いトルクで回転することができる。
【００２０】
また、製氷トレイは、一側部は前記第１出力部および前記第２出力部の前記連動による回転時に回転し、前記他側部は前記第１出力部の前記連動による回転時にのみ回転することができる。
【００２１】
また、ギヤ群内における前記１つ以上のギヤのうち前記出力部と連動するギヤは、前記予め定められた互いに異なる回転区間で前記連動する前後に自由回転する流動区間が形成される。
【００２２】
また、第２出力部のギヤ歯のうち、前記第１出力部の連動から前記第２出力部の連動に切り替えられる時点の開始部に位置したギヤ歯は、他のギヤ歯より高さが低く形成される。
【００２３】
また、ギヤ群は、前記製氷トレイの一側部に設けられる連結部に予め定められた長さだけ、前記信号による回転動力によって回転し、前記連結部の回転方向に形成される第１ギヤ部と、前記モータ部のモータ軸に設けられ、前記第１ギヤ部に対応する位置に形成され、前記第１ギヤ部と互いに噛み合って連動する第２ギヤ部とを含み、前記第１ギヤ部は、前記複数のギヤを含み、それぞれのギヤは、前記回転動力によって回転する前記連結部の回転中心から互いに異なる半径上に形成されるが、互いに回転区間が分離されて形成され、前記第２ギヤ部は、前記第１ギヤ部に対応するように前記第１ギヤ部の前記複数のギヤのそれぞれに対応する複数のギヤを含むことができる。
【００２４】
また、第１ギヤ部および前記第２ギヤ部の間に位置して前記回転動力を前記第１ギヤ部に伝達し、前記第１ギヤ部と噛み合う第１ミドルギヤと、前記第２ギヤ部と噛み合う第２ミドルギヤとを含む第３ギヤ部を含み、前記第３ギヤ部は、前記第１ギヤ部および第２ギヤ部の間の互いに異なる回転方向を補償できるように、前記第１ミドルギヤおよび前記第２ミドルギヤが配置されるが、前記第１ミドルギヤおよび前記第２ミドルギヤの回転中心は、同軸上に位置することができる。
【００２５】
また、連結部に形成された複数のギヤは、それぞれ第１合わせギヤおよび第２合わせギヤであり、前記第１合わせギヤおよび前記第２合わせギヤが形成された区間の長さが互いに異なって形成されるが、前記モータ軸とより遅く噛み合う第１合わせギヤが、先に噛み合う前記第２合わせギヤより短く形成される。
【００２６】
また、連結部に形成された複数のギヤは、第１合わせギヤおよび第２合わせギヤであり、前記連結部上で前記第２合わせギヤよりも大きい半径距離をおいて形成された第１合わせギヤが前記モータ軸とより遅く噛み合い、前記半径距離の差によって前記連結部の回転が高速から低速に変更される区間が形成される。
【００２７】
また、連結部の異なる回転速度は、前記モータ軸の回転速度および前記ミドルギヤの変速比のうちの１つ以上によって決定される。
【００２８】
また、製氷トレイが前記製氷機の一側に位置したストッパに隣接すると、前記製氷トレイの回転トルクが増加するように前記モータ部の回転がパルス制御される。
【００２９】
また、駆動部は、前記信号受信部から伝達された前記電気信号を回転情報に変換するドライブと、前記回転情報を前記ドライブから受信して前記回転情報に対応するように回転するモータ部とを含むことができる。
【００３０】
また、冷蔵庫制御部と複数の通信ラインを介して送受信し、前記信号受信時には、前記複数の電線内で選択的に前記信号を交差または非交差送出する交差出力部から前記信号を受信することができる。
【００３１】
また、信号は、パルス信号またはデジタル信号であり、交差出力部によって送信される前記信号に含まれた方向情報に基づいて前記回転情報が決定される。
【００３２】
また、制御部は、制御波形を受信して前記駆動部を制御することができる。
【００３３】
冷蔵庫内に位置する冷蔵庫制御部と、冷蔵庫制御部に含まれ、信号を送信する信号送信部と、冷蔵庫制御部に含まれ、前記信号送信部から受信された前記電気信号を複数の電線を介して送信するが、前記冷蔵庫制御部によって前記複数の電線内で選択的に前記電気信号を交差または非交差送出する交差出力部と、製氷機とを含み、前記製氷機は、前記交差出力部から伝達された前記信号を受信する信号受信部と、前記信号受信部から受信された前記信号を回転情報に変換するドライブと、前記回転情報を前記ドライブから受信して前記回転情報に対応するように回転するモータ部とを含む駆動部と、前記モータ部と連結され、前記モータ部の回転によって回転し、製氷水を収容できるように前記冷蔵庫内部の零下の温度に配置される製氷トレイと、前記モータ部は、ステッピングモータであり、前記回転情報は、回転速度、回転方向、回転角度およびトルクのうちの１つ以上を含む情報である、冷蔵庫が提供される。
【００３４】
前述した製氷機を含む、冷蔵庫が提供される。
【発明の効果】
【００３５】
本発明の第１実施形態は、モータによって回転する製氷トレイの回転区間を高速−低トルクおよび低速−高トルク区間に区分して、モータの動力を移氷に効率的に適用可能な製氷機を提供することができる。
【００３６】
本発明の第１実施形態は、モータによって回転する製氷トレイの回転区間を区分しかつ、予め定められた区間だけ歯車の結合区間を形成して、２つのギヤの結合によりモータの動力を移氷に効率的に提供可能な製氷機を提供することができる。
【００３７】
本発明の第１実施形態は、モータによって回転する製氷トレイの回転区間を高速−低トルクおよび低速−高トルク区間に区分して、モータの動力を移氷に効率的に適用可能な製氷機を含む冷蔵庫を提供することができる。
【００３８】
本発明の第１実施形態は、モータによって回転する製氷トレイの回転区間を区分しかつ、予め定められた区間だけ歯車の結合区間を形成して、２つのギヤの結合によりモータの動力を移氷に効率的に提供可能な製氷機を含む冷蔵庫を提供することができる。
【００３９】
また、本発明の実施形態は、モータから発生する粉塵などによる汚染がない製氷機を提供することができる。
【００４０】
また、本発明の実施形態は、モータの寿命が半永久的な製氷機を提供することができる。
【００４１】
また、本発明の実施形態は、モータから発生する熱が少ない製氷機を提供することができる。
【００４２】
また、本発明の実施形態は、騒音と振動が少ない製氷機を提供することができる。
【００４３】
また、本発明の実施形態は、モータの制御が自由な製氷機を提供することができる。
【図面の簡単な説明】
【００４４】
【図１】本発明の一実施形態に係る製氷機の断面図である。
【図２】本発明の一実施形態に係る製氷トレイのツイストを示す製氷トレイの斜視図である。
【図３】本発明の一実施形態に係るギヤ群の配置構造を示す斜視図である。
【図４】本発明の一実施形態に係るギヤ群の配置構造を示す側面図である。
【図５】本発明の一実施形態に係るギヤ群の配置構造を示す平面図である。
【図６】本発明の一実施形態に係る第２ギヤの構造を示す分解斜視図である。
【図７】本発明の一実施形態に係るモータ部によって製氷トレイの連結部が回転することを示す側面図および平面図である。
【図８】本発明の他の実施形態に係るモータ部によって製氷トレイの連結部が回転することを示す側面図および平面図である。
【図９】本発明の他の実施形態に係るモータ部によって製氷トレイの連結部が回転することを示す側面図および平面図である。
【図１０】本発明の実施形態に係る製氷トレイが回転する範囲を示す図である。
【発明を実施するための形態】
【００４５】
以下、図面を参照して本発明の具体的な実施形態を説明する。しかし、これは例示的な実施形態に過ぎず、本発明はこれに制限されない。
【００４６】
本発明を説明するにあたり、本発明にかかる公知の技術に関する具体的な説明が本発明の要旨を不必要にあいまいにしうると判断された場合には、その詳細な説明を省略する。そして、後述する用語は、本発明における機能を考慮して定義された用語であって、これは、使用者、運用者の意図または慣例などに応じて異なる。そのため、その定義は本明細書全般にわたる内容に基づいて行われなければならない。
【００４７】
本発明の技術的思想は請求の範囲によって決定され、以下の実施形態は、進歩的な本発明の技術的思想を本発明の属する技術分野における通常の知識を有する者に効率的に説明するための一つの手段に過ぎない。
【００４８】
そして、以下に説明した実施形態は、制御部、信号送信部、交差出力部、信号受信部、駆動部などの構成のうちの１つ以上を含むことができる。前記構成は、本発明の技術的思想を実現するうえで補助的に作用できるので、図示しないが、これについてまず簡略に説明し、本発明について具体的に後述する。
【００４９】
前記構成のうち、制御部、信号送信部および交差出力部は冷蔵庫側に位置し、製氷機１０側には信号受信部、駆動部などの構成が含まれる。制御部によって信号を送信する構成、すなわち、信号送信部および交差出力部は冷蔵庫に位置しているので、冷蔵庫から信号を受信する前記製氷機になってもよい。
【００５０】
また、以下、多様な実施形態について後述するが、各実施形態では、制御部、信号送信部、交差出力部、信号受信部、駆動部などの構成のうちの１つ以上を含む実施形態について後述する。前記構成のうち、制御部、信号送信部および交差出力部は冷蔵庫側に位置し、製氷機側には信号受信部、駆動部などの構成が含まれる。制御部によって信号を送信する構成、すなわち、信号送信部および交差出力部は冷蔵庫に位置しているので、冷蔵庫から信号を受信する前記製氷機になってもよい。
【００５１】
図１は、本発明の一実施形態に係る製氷機１０の断面図である。
【００５２】
図１を参照すれば、製氷機１０は、冷蔵庫の冷凍温度を有する空間内に配置される。製氷機１０は、駆動部２０と、製氷トレイ１００とを含むことができる。
【００５３】
製氷トレイ１００は、内部に製氷水を収容する収容部１０１を含むことができる。製氷トレイ１００の内部には複数の隔壁が形成され、収容部１０１は複数の空間に分離される。製氷トレイ１００には、製氷水の温度を測定するための温度センサ部（図示せず）が形成される。また、収容部１０１内に収容された製氷水の水量を検知するために静電容量センサ（図示せず）が設けられる。
【００５４】
製氷トレイ１００は、樹脂材で形成され、ギヤ群３０（３１、３２）の回転によってツイストされてから元の形状に復帰することができる。
【００５５】
ギヤ群３０（３１、３２）は、製氷トレイ１００の一側に設けられる。ギヤ群３０（３１、３２）は、製氷トレイ１００をツイスト（ｔｗｉｓｔ）させて製氷トレイ１００内で製氷された氷を移氷させることができる。このために、ギヤ群３０（３１、３２）は、製氷トレイ１００を回転させるための構成を含むことができる。
【００５６】
例えば、ギヤ群３０（３１、３２）は、１つ以上のギヤと、製氷トレイ１００に連結された出力部１３０とを含むことができる。モータ部４０から伝達された回転力を変速する前記１つ以上のギヤは、出力部１３０と噛み合って予め定められた区間だけ回転することができる。ここで、モータ部４０は、ギヤード（ｇｅａｒｅｄ）ステッピング（ｓｔｅｐｐｉｎｇ）モータであってもよい。ギヤードステッピングモータは、パルス信号を印加するたびに一定の角度ずつ回転することができ、入力されたパルス信号の数とモータの回転角度とが比例する。したがって、入力パルスを制御することにより、モータの回転角度を正確に制御すると同時に変速を行うことができる。
【００５７】
前記モータ部４０がブラシモータの場合には、カーボン（ｃａｒｂｏｎ）で形成されたブラシの寿命が制限的であり、カーボンブラシから発生するカーボン粉塵によってモータの周辺が汚染する。また、ブラシモータから発生する騒音および振動が大きく、ブラシモータの運転時には消費する電流が高い。それだけでなく、ブラシモータによって発生する温度が大きく上昇してエネルギー消耗が大きくなる。それに対し、ステッピングモータは、運転によって消耗する電流が低く、作動時の騒音および振動が小さい。また、ステッピングモータの運転時に発生する熱が低くてエネルギー効率が高い。さらに、カーボンブラシがないことから、カーボン粉末によって発生する汚染がなく、摩耗しないことから、寿命が半永久的でありうる。
【００５８】
製氷機１０は、モータ部４０による製氷トレイ１００の回転位置を検知するための位置センサ（図示せず）を含むことができる。ここで、回転位置は、製氷トレイ１００の各両端の位置になる。
【００５９】
ギヤ群３０（３１、３２）は、モータ部４０で発生する回転の回転速度を減速させトルク（ｔｏｒｑｕｅ）を増加させることができる。逆に、回転速度を増加させトルクを低下させることもできる。そして、ギヤ群３０（３１、３２）は、満氷検知レバー（図示せず）とも連結され、製氷トレイ１００をツイストさせるだけでなく、製氷機１０で生成されて氷貯蔵部（図示せず）に貯蔵される氷の量を測定する動作も行うことができる。
【００６０】
駆動部２０は、その内部にモータ部４０およびギヤ群３０（３１、３２）が収容され、出力ギヤ１３０が製氷トレイ１００と連結可能に通孔（図示せず）が形成される。また、駆動部２０の一側には、駆動部２０の下部に位置する氷貯蔵容器内に貯蔵される氷の満氷検知のために満氷検知用発光部および受光部のうちの少なくとも１つが位置することができる。すなわち、駆動部２０の一側に位置する発光部および／または受光部は、氷に映る光の反射程度に応じて氷が満氷か否かを検知することができる。
【００６１】
駆動部２０で発生する回転力によって製氷トレイ１００がツイストされる。製氷トレイ１００がツイストされるために、製氷トレイ１００の一側は予め定められた回転距離だけ回転した状態で停止し、製氷トレイ１００の他側は予め定められた回転距離よりも回転することができる。このように、製氷トレイ１００の両側の回転する回転距離が互いに異なることにより、製氷トレイ１００がツイストされる。
【００６２】
モータ部４０を制御するためのモータ制御部（図示せず）は、製氷機１０内に位置するか、冷蔵庫に位置することができる。モータ制御部が製氷機１０内に位置する場合に、モータ部４０の一側に配置される印刷回路基板（図示せず）上に位置してもよい。モータ部４０は、ステッピングモータであるので、モータ制御部は、制御波形を受信することによりモータ部４０を制御することができる。また、モータ部４０の駆動波形による位置信号がモータ制御部に供給される。これにより、モータ制御部は、モータ部４０の回転位置を正確に制御することができる。前記モータ制御部は、モータ部４０を駆動するためのパルス信号を発生させるドライバであってもよい。
【００６３】
モータ部４０であるステッピングモータは、正方向および逆方向回転とも可能である。したがって、モータ部４０だけで製氷トレイ１００をツイストさせてから元に位置させることが可能である。ただし、これに限定されるものではなく、製氷トレイ１００をツイストさせることはモータ部４０により、製氷トレイ１００を再び元に位置させることは製氷トレイ１００の一側に装着される弾性部材（図示せず）によることも可能である。
【００６４】
さらに、製氷機１０は、制御に関連して先に説明した信号送信部、交差出力部、信号送信部およびドライブなどの構成をさらに含んでもよい。具体的には、冷蔵庫に含まれた信号送信部は、電気信号を送信して、前記電気信号に含まれた情報に基づいて駆動部２０が駆動されるようにしてもよい。信号送信部から伝送された前記電気信号は、交差出力部によって信号受信部に伝達される。伝達される方向は、電気信号に最終的に電気信号の伝達される駆動部の動作情報を決定することができる。
【００６５】
さらに、冷蔵庫から受信された前記電気信号に含まれた情報は、電気信号がパルス形態で伝達される場合、異なるｐｐｓ（ｐｕｌｓｅ  ｐｅｒ  ｓｅｃｏｍｄ）で伝達され、各ｐｐｓ（ｐｕｌｓｅ  ｐｅｒ  ｓｅｃｏｍｄ）はそれぞれ特定情報を含むことができる。一例として、１８０ｐｐｓで伝達される場合には正回転、５００ｐｐｓで伝達される場合には逆回転で駆動部が駆動される。前記のような回転方向に関連する情報だけではなく、回転角度およびトルクなどを含む情報になってもよい。
【００６６】
そして、０、１、−１などのデジタル信号の場合には、複数の信号線ごとに伝達される信号組合せの結果から回転速度、回転方向、回転角度およびトルクなどが決定される。すなわち、電気信号は、バイポーラ（ｂｉｐｏｌａｒ）形式であってもよい。もちろん、ユニポーラ（ｕｎｉｐｏｌａｒ）形式であってもよい。例えば、１、０の信号であるデジタル信号の場合にも、各信号の組合せにより回転速度、回転方向、回転角度およびトルクが決定される。すなわち、電気信号は、バイポーラタイ（ｂｉｐｏｌａｒ）およびユニポーラ（ｕｎｉｐｏｌａｒ）のうちの１つ以上が適用可能である。
【００６７】
前記冷蔵庫に含まれた交差出力部から伝達された電気信号は、信号受信部に受信されて、駆動部に伝達することができる。前記駆動部は、前記電気信号を受信して駆動される。ここで、駆動部は、ドライブと、モータ部とを含むことができる。ドライブは、モータ部４０が駆動される情報を伝達することにより、モータ部４０が回転する回転情報を生産することができる。ここで、生産は、予め受信された電気信号に含まれた情報を解析する過程であって予め定められた規則によることができ、前記予め定められた規則は、上述した電気信号に含まれた情報について記述した内容に相当する。
【００６８】
前記ドライブでモータ部４０を回転させるための回転情報が生産されると、モータ部４０に伝達され、モータ部４０は、予め定められた回転情報に対応する駆動が行われる。この時、モータ部４０が回転する動力は、外部から別途に電源線によって供給される。例えば、電気信号を送る電圧は５Ｖ、モータ部４０を駆動させる電圧は１２Ｖになる。前記電源線は、駆動部に連結されて動力を伝達することができる。すなわち、前記動力は、ドライブまたはモータ部４０に連結されて伝達される。
【００６９】
伝達された前記動力は、モータ部４０を回転させ、駆動部１０の軸と連結されている製氷トレイ１００の一側部を回転させることができる。製氷トレイ１００は、一側部がモータ部４０と連結されてモータ部４０の回転によって全区間ともに回転し、他側部はストッパ（図示せず）などに係止されて予め定められた区間だけともに回転することができる。前記予め定められた区間は、前記全区間より少ない範囲に相当し、常時全区間だけが除かれた予め定められた区間は、製氷トレイ１００の一側部のみ回転するので、製氷トレイ１００はツイスト（ｔｗｉｓｔ）される。製氷水を収容し零下の温度に配置される製氷トレイ１００は、前記製氷水が氷に状態変化すると、これを製氷するために製氷トレイ１００がツイストされて、前記氷が製氷される。
【００７０】
したがって、製氷のために製氷トレイ１００をツイストさせるが、この時、モータ部４０を駆動して製氷トレイ１００をツイストさせることができ、モータ部４０は、電気信号に基づいてドライブによって回転情報として生産されて伝達される。すなわち、本実施形態では、回転情報となる電気信号を交差出力部の選択的な伝送によって決定されて、移氷を行うことができる。
【００７１】
もちろん、これに限定されず、各構成の一部の構成は含まれておらず、電気信号および回転信号の送出方式を異にしてモータ部４０の回転を行うようにしてもよい。
【００７２】
図２は、本発明の一実施形態に係る製氷トレイ１００のツイストを示す製氷トレイ１００の斜視図である。
【００７３】
図２を参照すれば、モータ部４０は、製氷トレイ１００の一側部と連結されて回転動力を伝達することができる。回転動力は、製氷トレイ１００の両側部でない、一側部にのみ伝達可能である。例えば、正回転方向に回転動力が伝達されると、製氷トレイ１００は正回転に回転することができる。ただし、正回転方向が複数の区間に分離されて、一部の区間のみ製氷トレイ１００の両端がともに回転し、残りの区間では製氷トレイ１００の一端、すなわち、モータ部４０と連結された前記一側部のみ回転可能である。ここで、前記一側部の反対側に形成される他側部は、予め定められた回転角度まで回転可能にストッパ（図示せず）によって回転が阻止され、一側部に継続してモータ部４０によって回転動力が伝達されるので、製氷トレイ１００の一側部は回転可能である。
【００７４】
したがって、製氷トレイ１００はツイスト（ｔｗｉｓｔ）される。前記ツイストは、製氷トレイ１００に製氷水が収容され、零下の温度で製氷水が氷の状態に変更された場合に、製氷トレイ１００の収容部と固着しうるが、これを分離して移氷するためのツイストになる。
【００７５】
そのため、自重方向に氷が自重によって移動できるように、予め定められた角度回転した後に製氷トレイ１００のツイストが行われる。すなわち、前記予め定められた角度回転は、製氷トレイ１００の両端部がともに回転する角度になってもよく、ツイストの始まる地点からツイストの完了する地点までの回転区間は、製氷トレイ１００の前記一側部のみが回転可能である。
【００７６】
上述した製氷トレイ１００がツイストされるための多様な実施形態を、以下に説明する。もちろん、以下に説明されていない実施形態でも、ギヤの変速比または回転速度および供給電力などの変化により変形実施可能であることが当然である。
【００７７】
図３は、本発明の一実施形態に係るギヤ群３０（３１、３２）の配置構造を示す斜視図である。
【００７８】
図３を参照すれば、ギヤ群３０（３１、３２）は、第１ギヤ２１２と、第２ギヤ２１２と、出力部１３０とを含むことができる。本例示において、ギヤ群３０（３１、３２）に含まれた変速構成は前記３つの構成であるが、これは一例に過ぎず、１つ以上の変速可能なギヤを含むことができる。
【００７９】
具体的には、第１ギヤ２１２は、第１−１ギヤ１１１と、第１−２ギヤ１１２とを含むことができる。第１−１ギヤ１１１は、モータ部４０の回転動力が最初に伝達されるギヤ群３０（３１、３２）に含まれたギヤであって、第１−２ギヤ１１２よりピッチ円がより大きく形成される。もちろん、第１−１ギヤ１１１および第１−２ギヤ１１２は、回転中心軸が同一であるので、第１−１ギヤ１１１に伝達されたモータ部４０の回転動力は、第１−２ギヤ１１２に伝達され、減速された回転速度が第２ギヤ２１２に伝達される。
【００８０】
前記第２ギヤ２１２の第２−１ギヤ１１３に伝達された回転動力は、出力部１３０に伝達される。ここで、出力部１３０は、第２−１ギヤ１１３と第１出力軸１２１との結合によって回転することができる。第２ギヤ２１２は、第２−１ギヤ１１３および第２−２ギヤ１１４を含むが、第２−２ギヤ１１４のピッチ円は、第２−１ギヤ１１３のピッチ円より小さく形成され、回転中心軸は同一であってもよい。
【００８１】
前記第１出力軸１２１は、出力部１３０の回転中心軸を基準として３６０度の方向にすべて形成されているわけではなく、予め定められた区間形成される。したがって、出力部１３０は、出力部１３０の回転区間のうち予め定められた区間だけ第２−１ギヤ１１３と第１出力軸１２１との結合によって回転することができる。
【００８２】
前記第１出力軸１２１と第２−１ギヤ１１３との連動によって回転する前記予め定められた区間の後には、出力部１３０に含まれる第２出力軸１２２と第２−２ギヤ１１４との連動によって出力部１３０が回転可能である。
【００８３】
先に説明したように、第２ギヤ２１２に含まれる第２−１ギヤ１１３ギヤおよび第２−２ギヤ１１４の同一の回転中心軸と異なるピッチ円によって、第２ギヤ２１２の第２−１ギヤ１１３および第２−２ギヤ１１４と連動する出力部１３０は、回転速度およびトルクが回転区間ごとに異なる。
【００８４】
具体的には、図４を参照して、以下に説明する。
【００８５】
図４は、本発明の一実施形態に係るギヤ群３０（３１、３２）の配置構造を示す側面図である。
【００８６】
図４を参照すれば、出力部１３０および第２ギヤ２１１の連動によって製氷トレイ１００の回転速度、回転範囲（回転角度）およびトルクなどを知ることができる。モータ部４０から発生する回転動力が第１ギヤ２１２を介して変速を経て回転数が低下し、第２ギヤ２１２に伝達されながらトルクが増加することができる。回転数の低下とトルクの増加は、モータ部４０から伝達される回転動力が一定に維持されることを前提とした時、互いに反比例の関係になりうるので、各数値の増減が行われる。
【００８７】
もちろん、回転動力は、先に説明したように供給信号または電力などの要因で異なるが、変速比およびギヤ群３０（３１、３２）の構造を説明するために一定の回転動力が提供される状況を想定して説明する。
【００８８】
ギヤ群３０（３１、３２）では、モータ軸（図４の４１ａ）に設けられるピニオン１２から回転動力を受けて、第１ギヤ２１２および第２ギヤ２１２が同一の回転数で回転することができる。もちろん、回転は、正回転および逆回転が可能であり、このような制御は、制御部を介してステッピングモータのモータ部４０が回転することにより行われる。
【００８９】
同一の回転速度で回転するギヤ部１００の構成である第１ギヤ２１２および第２ギヤ２１２があるのに対し、出力部１３０は、回転速度が回転区間に応じて異なる。このような構成は、出力部１３０に含まれた第１出力軸１２１および第２出力軸１２２がそれぞれ第２ギヤ２１２の第２−２ギヤ１１４および第２−１ギヤ１１３と互いに噛み合って回転するが、出力部１３０に形成されたギヤ歯（ｊａｗ）がピッチ円方向に一部区間形成されることにより可能である。
【００９０】
具体的には、前記ギヤ歯（ｊａｗ）は、第１出力軸１２１および第２出力軸１２２にすべて形成されているが、一部区間形成され、前記一部区間は、出力部１３０の回転中心から予め定められた角度だけ形成され、第１出力軸１２１および第２出力軸１２２にギヤ歯（ｊａｗ）が形成された予め定められた角度は、互いに重畳するのを回避することができる。ただし、それぞれの前記予め定められた角度は、全区間（３６０度）の角度上で次々と配置される。
【００９１】
第１出力軸１２１が第２−２ギヤ１１４と連動して噛み合って、第１出力軸１２１のギヤ歯（ｊａｗ）が形成された角度だけ行われる回転が高速回転とする時、第２出力軸１２２が第２−１ギヤ１１３と連動して噛み合って、第１出力軸１２１のギヤ歯（ｊａｗ）が形成された角度だけ行われる回転は、高トルク回転といえる。
【００９２】
前記高速および高トルクは、第１出力軸１２１および第２出力軸１２２がギヤ群３０（３１、３２）内で連動して回転する時、互いに相対的に向上した効果を意味するのである。
【００９３】
また、ギヤ群３０（３１、３２）内で出力部１３０と連動する第２ギヤ２１２は、出力部１３０と連動する前後に自由回転する流動区間が形成される。すなわち、予め定められた区間にギヤ歯（ｊａｗ）が形成された出力部１３０との連動は区間に応じて行われるので、第１出力軸１２１および第２出力軸１２２と連動しない状態の第２−１ギヤ１１３および第２−２ギヤ１１４は、自由回転する流動区間が形成される。
【００９４】
また、互いに異なるモジュールによって、連動した出力部１３０のトルクが増加し回転速度が減少する回転区間が形成される。
【００９５】
また、第１出力軸１２１は、第１出力軸１２１が連動した状態で回転待機状態で配置されたことを視覚情報などで表示可能な、すなわち、原点を表示する表示部（図示せず）をさらに含んでもよい。前記表示部は、特定のギヤ歯（ｊａｗ）の色が隣接したギヤ歯（ｊａｗ）と異なったり、目盛などで表示されてもよい。したがって、表示部（図示せず）の位置によって、原点状態か否かを確認することができる。
【００９６】
一方、第２出力軸１２２のギヤ歯のうち、第１出力軸１２１の連動から前記第２出力軸１２２の連動に切り替えられる時点の開始部に位置したギヤ歯は、他のギヤ歯より高さが低く形成される。ここで、開始部は、第２−１ギヤ１１３との噛み合い過程で第２−１ギヤ１１３のギヤ歯と第２出力部のギヤ歯との干渉が発生しうる部分を意味し、第２出力軸１２２の全体ギヤ歯が形成される区間の０％超過５０％以下の区間であってもよい。
【００９７】
さらに、出力部１３０の高速回転および高トルク回転は、出力軸１２３と連結された製氷トレイ１００を回転させることができるため、製氷トレイ１００を高速回転または高トルク回転を可能にする。これについて、以下、図５を参照してより詳細に説明する。
【００９８】
図５は、本発明の一実施形態に係るギヤ群３０（３１、３２）の配置構造を示す平面図である。
【００９９】
図５を参照すれば、モータ部４０のボディから一方向にモータ軸４１ａが延び、延びたモータ軸４１ａにピニオン１２が設けられる。前記ピニオン１２と連動して回転するギヤ群３０（３１、３２）は、出力軸１３３を介して製氷トレイ１００と連結される。製氷トレイ１００と連結される出力軸１３３の延びる方向は、前記モータ軸４１ａがモータ部４０のボディから延びる方向の反対方向であってもよい。駆動部２０内に位置したギヤ群３０（３１、３２）およびモータ１０は、前記のような構造で配置されることにより、駆動部２０の体積を低減することができる。
【０１００】
また、制御ボックスの体積を低減するための方法として、モータ部４０としてギヤード（ｇｅａｒｅｄ）モータが採用される。ギヤード（ｇｅａｒｅｄ）モータが採用されることにより、モータ部４０に内蔵されたロータの回転中心ＭＣとボディの外部に延びるモータ軸４１ａとの間の偏心距離Ｅが形成される。偏心距離Ｅによってモータ部４０のボディを駆動部２０の内側により隣接するように配置させることができる。すなわち、ロータの回転中心ＭＣとモータ軸４１ａの中心との間に形成される偏心距離Ｅによって駆動部２０の内側にモータ部４０を配置させることにより、駆動部２０をより小型化することができる。
【０１０１】
図６は、本発明の一実施形態に係る第２ギヤ２１２の構造を示す分解斜視図である。
【０１０２】
図６を参照すれば、出力部（３２；１２０）と連動して回転する第２ギヤ２１２は、第２−１ギヤ１１３と第２−２ギヤ１１４との結合によって作動可能になる。前記作動とは、回動角Ｒだけ第２−１ギヤ１１３と第２−２ギヤ１１４との角度遊びが発生して動くことを意味し、回動角Ｒは、第２−１ギヤ１１３と第２−２ギヤ１１４との回転速度差を補償できる回転範囲を意味する。例えば、回動角Ｒは２０度になる。
【０１０３】
第１出力軸１２１および第２出力軸１２２が連動する時のモジュールは互いに異なるので、回転速度差が発生し、回転動力の伝達経路が第１出力軸１２１から第２出力軸１２２に移動した瞬間速度差が発生するので、回動角Ｒが形成されなければギヤ回転が停止しうる。
【０１０４】
したがって、ギヤの回転速度差を受け入れるための回動角Ｒが形成されなければならず、このために、第２−１ギヤ１１３の内側に第２−２ギヤ１１４が結合され、スライド部はガイド部内で回動できる。
【０１０５】
図７は、本発明の一実施形態に係るモータ部４０によって製氷トレイ１００の連結部２１０が回転することを示す側面図および平面図である。
【０１０６】
まず、本実施形態において、第１ギヤ部および第２ギヤ部は、上述のようにそれぞれ連結部２１０側に形成されたギヤ、モータ部４０のモータ軸４０ａ側に形成されたギヤを意味する。具体的には、本実施形態では、第１ギヤ部の場合、第１合わせギヤ２２２および第２合わせギヤ２２１を含み、第２ギヤ部の場合、第１ギヤ２１２および第２ギヤ２１１を含む。
【０１０７】
図７を参照すれば、本実施形態は、製氷トレイ１００の一側部に設けられる連結部２１０と、前記連結部２１０と連動するモータ部４０とを含むことができる。具体的には、連結部２１０は、モータ部４０と連結される面にギヤが形成され、ギヤの噛み合いによって連動することができる。前記ギヤは、複数個形成され、連結部２１０の回転軸を中心に半径を異にして円周方向に形成される。例えば、第１合わせギヤ２２２および第２合わせギヤ２２１が形成される。
【０１０８】
上述のように、第１合わせギヤ２２２および第２合わせギヤ２２１は、互いに半径を異にして形成されるが、円周方向の形成角度も異なって形成される。すなわち、第１合わせギヤ２２２および第２合わせギヤ２２１は、回転方向を基準として重畳した区間を回避しながら形成される。このような構造は、第１合わせギヤ２２２と噛み合う第１ギヤ２１２、第２合わせギヤ２２１と噛み合う第２ギヤ２１１が互いに同時に噛み合う状態を回避するためである。互いに同時に噛み合うと、連結部２１０上で互いに異なる半径に位置した第１合わせギヤ２２２および第２合わせギヤ２２１の回転速度が異なって回転に抵抗が発生しうる。
【０１０９】
一方、モータ部４０は、回転動力を伝達するためにモータ軸４０ａが延びることができ、前記モータ軸４０ａの外周面から第１ギヤ２１２および第２ギヤ２１１が形成される。もちろん、第１ギヤ２１２および第２ギヤ２１１は、それぞれ第１合わせギヤ２２２および第２合わせギヤ２２１と噛み合うように前記モータ軸４０ａ上に位置してもよい。
【０１１０】
前記モータ部４０による回転動力は、まず、第２ギヤ２１１および第２合わせギヤ２２１の間の噛み合いによって伝達される。回転力の伝達によって連結部２１０が回転する角度は、第２合わせギヤ２２１の形成長さによって決定される。図２を参照して先に説明した内容によれば、第２合わせギヤ２２１の形成長さによって決定される回転角度は、製氷トレイ１００の両端部がともに回転する回転区間で、ツイストは発生しない。
【０１１１】
次に、第２合わせギヤ２２１の形成区間が終わると、第１ギヤ２１２と第１合わせギヤ２２２との間の噛み合いが行われる。この時は、モータ部４０の回転速度が同一でも、第２ギヤ２１１と第２合わせギヤ２２１との間の噛み合いによって行われた回転に比べて、回転速度は減少しトルクは増加することができる。すなわち、第１ギヤ２１２と第１合わせギヤ２２２との噛み合いによる回転は、ツイストを目的とする回転であってもよい。回転速度およびトルクは、供給される電力に応じて異なってもよいが、連結部２１０に形成された合わせギヤ１３１、１４１の半径サイズに応じて異なってもよい。例えば、半径が２倍になると、トルクは２倍増加し速度は半分に減少し、半径が半分になると、トルクは半分になり速度は２倍に増加することができる。
【０１１２】
したがって、大きなトルクが必要な区間、すなわち、移氷区間である製氷トレイ１００をツイストする区間では、第１ギヤ２１２と第１合わせギヤ２２２とが噛み合って回転するようにする。そのため、移氷する前の回転区間では、第２ギヤ２１１および第２合わせギヤ２２１が互いに噛み合って回転するようにする。回転区間に関する詳細な内容は、以下に後述する。
【０１１３】
図８は、本発明の他の実施形態に係るモータ部４０によって製氷トレイ１００の連結部２１０が回転することを示す斜視図である。
【０１１４】
まず、本実施形態において、第１ギヤ部および第２ギヤ部は、上述のようにそれぞれ連結部２１０側に形成されたギヤ、モータ部４０のモータ軸４０ａ側に形成されたギヤを意味する。具体的には、本実施形態では、第１ギヤ部の場合、ウォームギヤ３１０を含み、第２ギヤ部の場合、ウォームホイール３２１を含む。
【０１１５】
図８を参照すれば、本実施形態は、製氷トレイ１００の一側部に設けられる連結部２１０と、前記連結部２１０と連結されるモータ部４０とを含むことができる。具体的には、連結部３２０は、モータ部４０と連結される面にギヤが形成される。前記ギヤは、ウォームホイール３２１になってもよく、連結部３２０の回転軸を中心に回転することができる。
【０１１６】
前記ウォームホイール３２１は、モータ部４０から延びたモータ軸４０ａの外周面に形成されたウォームギヤ３１０と噛み合って回転することができる。すなわち、ウォームギヤ３１０と連結部２２０に形成されたウォームホイール３２１とが互いに噛み合って回転するので、回転動力を提供するウォームギヤ１３０ａの回転速度と連結部２２０の回転速度とは比例的に増減可能である。
【０１１７】
ここで、ウォームギヤ３１０の回転速度を調節するために電力供給を調節することができる。例えば、電力がパルス単位で供給される場合、パルスの高低によって変更可能である。連結部２２０の回転速度を優先的に考慮する時、５００ｐｐｓで供給され、トルクを優先的に考慮する時は４００ｐｐｓで供給することができる。低下したパルスは、より低い回転数とより高いトルクを伝達できることを意味するので、製氷トレイ１００から自重方向に氷が落ちる角度まで製氷トレイ１００を回転させる時は５００ｐｐｓで供給し、製氷トレイ１００をツイストさせることにより、製氷トレイ１００から氷を製氷する時は４００ｐｐｓで供給することができる。このような電力の供給差は上述した場合に限定されず、回転速度およびトルクを考慮して当業者が決定することができる。
【０１１８】
図９は、本発明のさらに他の実施形態に係るモータ部４０によって製氷トレイ１００の連結部４３０が回転することを示す側面図および平面図である。
【０１１９】
まず、本実施形態では、第１ギヤ部および第２ギヤ部は、上述のようにそれぞれ連結部４３０側に形成されたギヤ、モータ部４０のモータ軸４０ａ側に形成されたギヤを意味し、第３ギヤ部をさらに含む。第３ギヤ部は、以下、第１ミドルギヤ４２２および第２ミドルギヤ４２１を含むミドルギヤ４２０として記載する。具体的には、本実施形態では、第１ギヤ部の場合、小ギヤ４１０を含み、第２ギヤ部の場合、連結部４３０の外周面に形成されたギヤになってもよい。そして、第３ギヤ部１５０、１６０は、小ギヤ４１０と噛み合う第１ミドルギヤ４２２と、連結部４３０の外周面と噛み合う第２ミドルギヤ４２１とを含む。
【０１２０】
図９を参照すれば、本実施形態は、製氷トレイ１００の一側部に設けられる連結部４３０と、前記連結部２１０と連結されるモータ部４０と、前記モータ部４０と前記連結部４３０との間に配置され、モータ部４０の回転動力を連結部４３０に伝達するミドルギヤ４２０とを含むことができる。具体的には、ミドルギヤ４２０は、第１ミドルギヤ４２２および第２ミドルギヤ４２１を含むことができる。第１ミドルギヤ４２２は、連結部２１０と噛み合って回転し、第２ミドルギヤ４２１は、モータ部４０の小ギヤ１７０と噛み合って回転することができる。小ギヤ４１０は、モータ部４０のモータ軸４０ａの端部に形成される。
【０１２１】
一方、モータ部４０から回転動力を伝達するためには、動力の方向が切り替えられる。前記動力の方向を切り替えるために、ミドルギヤ１５０、１６０は、形成されたギヤ歯の方向が第１ミドルギヤ１５０および第２ミドルギヤ１６０は互いに異なる。
【０１２２】
モータ部４０が制御ボックス（図示せず）内に位置する場合、製氷機１０の体積を低減するためにモータ部４０と製氷トレイ１００の配置を変更する場合には、ミドルギヤ１５０、１６０による動力伝達方向は、例示と異なるように変更されてもよい。
【０１２３】
また、ミドルギヤ４２０は、第１ミドルギヤ４２２と連結部２１０とが噛み合う第１連結部４３１と、第２ミドルギヤ４２１と小ギヤ４１０とが噛み合う第２連結部４１１の位置に応じて、モータ軸４０ａの回転速度と連結部２１０の回転速度との間の変速比を決定することができる。前記第１連結部４３１と第２連結部４１１の位置である、それぞれがミドルギヤ１５０、１６０の回転中心からの離隔した距離に応じて変速比は決定可能である。
【０１２４】
さらに、ミドルギヤ４２０によって変速比が決定されると、供給される電力によって回転速度が異なる。例えば、電力がパルス単位で供給される場合、パルスの高低によって変更可能である。連結部２１０ａの回転速度を優先的に考慮する時、５００ｐｐｓで供給され、トルクを優先的に考慮する時は４００ｐｐｓで供給することができる。低下したパルスは、より低い回転数とより高いトルクを伝達できることを意味するので、製氷トレイ１００から自重方向に氷が落ちる角度まで製氷トレイ１００を回転させる時は５００ｐｐｓで供給し、製氷トレイ１００をツイストさせることにより、製氷トレイ１００から氷を製氷する時は４００ｐｐｓで供給することができる。このような電力の供給差は上述した場合に限定されず、回転速度およびトルクを考慮して当業者が決定することができる。
【０１２５】
図１０は、本発明の実施形態に係る製氷トレイ１００が回転する範囲を示す図である。
【０１２６】
図１０を参照して、先に説明した出力部１３０の回転による製氷トレイ１００の回転範囲について具体的に説明することができる。
【０１２７】
まず、製氷トレイ１００の両側部は回転可能であり、回転は、第１区間、第２区間および第３区間に区分され、これを、以下、それぞれＡ−Ｂ区間、Ｂ−Ｃ区間およびＣ−Ａ区間として説明する。
図１０を参照すれば、上述した実施形態に含まれた出力部１３０によって回転する製氷トレイ１００の回転角度範囲の一例として、製氷トレイ１００に製氷水が供給され、零下の温度環境によって氷に状態が変更されると、製氷が行われる。この時、本発明の実施形態では、製氷トレイ１００をツイストすることにより、氷を製氷することができる。
【０１２８】
製氷は、基本的にモータ部４０による正回転および逆回転により行われる。具体的には、例えば、モータ部４０によって正回転する時に約１６０度回転するならば、逆回転を１６０度回転して、正回転および逆回転が行われた後には製氷トレイ１００が原点に復帰することができる。ここで、逆回転が前記原点に復帰する過程であり、前記正回転が製氷するための過程である時、前記正回転は、Ａ−ＢおよびＢ−Ｃに回転区間が分けられる。また、前記１６０度は一例であって、１８０度以下の範囲で決定可能である。ここで、正回転および正回転をした回転範囲だけさらに逆回転を行う過程が１回のサイクルになる。
【０１２９】
さらに、一例として、Ａ−Ｂ区間（正回転区間）およびＣ−Ａ区間（逆回転区間）は１ＲＰＭで回転し、トルクは１０ｋｇｆｃｍになる。そして、Ｂ−Ｃ区間（正回転区間）は０．２５ＲＰＭで回転し、トルクは４０ｋｇｆｃｍになる。また、前記１回のサイクルを行うのに消耗する時間は、Ａ−Ｃ区間の角度範囲に応じて異なるが、例えば、９０秒〜１２０秒になる。もちろん、回転速度に応じて異なると、回転速度は先に説明した要因に応じて異なる。
【０１３０】
特に、移氷のために製氷トレイ１００をツイストさせるＢ−Ｃ区間と、高速回転をするＡ−Ｂ区間およびＣ−Ａ区間とにおけるギヤ比は互いに異なり、一例として１．５倍〜４．７倍の間で形成される。
【０１３１】
図示の図５では、製氷トレイの回転中心Ｏを基準としてＡ−Ｂ区間（第１区間）だけ製氷トレイ１００が回転可能である。前記回転が第１出力部による高速回転に相当し、前記回転は製氷トレイ１００がツイストされず、製氷トレイ１００が出力部１３０と連結された一側部および他側部を含む両端部がともに同一の回転角度だけ回転する区間になる。したがって、上述のように、Ａ−Ｂ区間は、氷が自重によって自重方向に移動可能な程度の角度になり、例えば、９０度以上の角度であってもよく、具体的な一例としては１２０度になる。そして、Ｂ地点からＣ地点に、出力部１３０の回転によって出力軸１２３と連結された製氷トレイ１００の一側部が回転移動すると、他側部は図示しないストッパなどによって移動が制限されて停止しうる。すなわち、前記一側部が出力軸１２３によって伝達された回転動力は、一側部に加えて製氷トレイ１００がツイストされる（第２区間）。すでにＡ−Ｂ区間を回転した製氷トレイ１００はツイストされることにより、移氷した氷が自重方向に移動できる。氷が製氷された後には、製氷トレイ１００が原点のＡ地点に復帰（第３区間）する。
【０１３２】
したがって、第１出力軸１２１が連動して回転する区間では、製氷トレイ１００の両端がＢ地点に回転移動し、第２出力軸１２２が連動して回転する区間では、製氷トレイ１００の両端のうち出力軸１２３と連結された前記一側部のみＣ地点に連結される。
【０１３３】
ここで、前記回転区間は、前記製氷トレイ１００がツイストできるように前記ストッパ（図示せず）に隣接した位置を基準として区分される第１区間および第２区間を含む正回転区間と、第３区間を含む逆回転区間とを含み、前記製氷トレイ１００の回転は、前記第１区間、前記第２区間および前記第３区間の順に行われ、前記製氷トレイ１００の他側部が前記ストッパ（図示せず）に隣接すると、出力部１３０の回転トルクが増加するように前記第２出力軸１２２が連動して回転することができる。さらに、製氷トレイ１００の回転速度が低下するように低いパルス数（ｐｕｌｓｅ  ｐｅｒ  ｓｅｃｏｎｄ）によって前記第２区間の回転が制御されてもよい。
【０１３４】
一方、前記回転区間は、製氷トレイ１００のツイストが開始される製氷トレイ１００の回転角度に隣接した角度前後の位置に区分される第１区間および第２区間を含む正回転区間と、第３区間を含む逆回転区間とに区分される。回転は、第１区間、第２区間および第３区間の順に行われ、第１区間および第３区間は、前記第２区間より回転トルクが減少するようにパルス制御される。例えば、第１区間および第３区間は、第２区間より高いパルス数（ｐｕｌｓｅ  ｐｅｒ  ｓｅｃｏｎｄ）によって駆動できる。
【０１３５】
上述した製氷トレイ２２０の回転経路を区分すると、Ａ−Ｂ区間（第１区間）、Ｂ−Ｃ区間（第２区間）およびＣ−Ａ区間（第３区間）に区分される。すなわち、Ａ−Ｂ区間は、氷が自重方向に移動可能な角度を設けるための回転であり、Ｂ−Ｃ区間は、モータ部４０の回転動力で製氷トレイ１００をツイストさせて、製氷する回転である。また、Ｃ−Ａ区間は、製氷トレイ１００が原点に復帰することにより、製氷水を再び収容できる状態とする回転になる。
【０１３６】
そして、弾性を有する樹脂材で製氷トレイ１００が形成される場合、製氷トレイ１００を回転させるＡ−Ｂ区間より、Ｂ−Ｃ区間で製氷トレイ１００をツイストさせる時のトルクがより大きく要求されるので、回転速度を減少させトルクを増加させることができる。回転速度とトルクとの間の関係は、すでに先の説明で説明したように、モータ部４０から同一の回転動力が提供される時、変速比による回転速度の変化はトルクを変化させ、この時、回転速度とトルクとは互いに反比例に変化可能である。すなわち、同一の回転動力が伝達されても、ギヤ比を区間によって可変的に決定可能なため、回転速度およびトルクを変動させることができる。
【０１３７】
したがって、上述した３つの区間のうちトルクが最も大きく作用する区間はＢ−Ｃ区間であり、Ａ−Ｂ区間およびＣ−Ａ区間は速度を優先的に考慮して調整可能である。そして、上述した各区間の角度は一例であり、区間ごとの回転角度は、当業者によって多様に変更実施できる。
【０１３８】
先に説明したように、モータ部４０は、ステッピングモータであってもよい。さらに、ステッピングモータであると同時にギヤード（ｇｅａｒｅｄ）モータであってもよい。前記モータ部４０からモータ軸４０ａが延びた側面に複数のギヤが設けられて変速比が調節されることにより、モータ部４０の回転数を増減させることができる。もちろん、回転数とトルクは反比例できるので、回転数とトルクを考慮して、当業者はギヤード（ｇｅａｒｅｄ）モータのギヤ比を決定することができる。
【０１３９】
図１１および図１２は、本発明の第２実施形態に係る製氷機の作動を説明するための図である。
【０１４０】
図１１および図１２を参照すれば、製氷機１０は、電気信号１を送信する信号送信部７００と、交差出力部５００と、信号受信部６００と、ギヤ群３０と、製氷トレイ１００とを含むことができる。
【０１４１】
具体的には、信号送信部７００は、電気信号１を送信して、前記電気信号１に含まれた情報に基づいてギヤ群３０が駆動されるようにしてもよい。信号送信部７００から伝送された前記電気信号１は、交差出力部５００を経由して、信号受信部６００に伝達される。伝達される方向は、電気信号に最終的に電気信号１の伝達される駆動部の動作情報を決定することができる。
【０１４２】
さらに、前記電気信号１に含まれた情報は、電気信号がパルス形態で伝達される場合、異なるｐｐｓ（ｐｕｌｓｅ  ｐｅｒ  ｓｅｃｏｍｄ）で伝達され、各ｐｐｓ（ｐｕｌｓｅ  ｐｅｒ  ｓｅｃｏｍｄ）はそれぞれ特定情報を含むことができる。例えば、１８０ｐｐｓで伝達される場合には正回転、５００ｐｐｓで伝達される場合には逆回転で駆動部が駆動できる。前記のような回転方向に関連する情報だけでなく、回転角度およびトルクなどを含む情報になってもよい。
【０１４３】
そして、０、１、−１などのデジタル信号の場合には、複数の信号線ごとに伝達される信号組合せの結果から回転速度、回転方向、回転角度およびトルクなどが決定される。すなわち、電気信号は、バイポーラ（ｂｉｐｏｌａｒ）形式であってもよい。もちろん、ユニポーラ（ｕｎｉｐｏｌａｒ）形式であってもよい。例えば、１、０の信号であるデジタル信号の場合にも、各信号の組合せにより回転速度、回転方向、回転角度およびトルクが決定される。すなわち、電気信号は、バイポーラ（ｂｉｐｏｌａｒ）およびユニポーラ（ｕｎｉｐｏｌａｒ）のうちの１つ以上が適用可能である。
【０１４４】
もちろん、回転方向、回転角度、回転速度およびトルクなどの情報を上述した情報によって決定してもよく、本実施形態のように、交差出力部５００で交差して伝送する電気信号１によって決定される。すなわち、交差出力部５００によって交差される情報の種類、交差時点および交差回数などの情報に基づいて決定される。前記情報を回転情報に切り替えるために交差出力部５００によって伝達される電気情報１を受信する信号受信部６００またはドライブ９００は、予め定められた電気情報のデータが記録され、前記電気情報１が受信された時、回転情報に切り替える処理が可能である。
【０１４５】
前記交差出力部５００から伝達された電気信号１は、信号受信部６００に受信されて、ギヤ群３０に伝達される。前記ギヤ群３０は、前記電気信号を受信して駆動できる。ここで、ギヤ群３０は、ドライブ９００と、モータ部４０とを含むことができる。ドライブ９００は、モータ部４０が駆動される情報を伝達することにより、モータ部４０が回転する回転情報を生産することができる。ここで、生産は、予め受信された電気信号１に含まれた情報を解析する過程であって予め定められた規則によることができ、前記予め定められた規則は、上述した電気信号１に含まれた情報について記述した内容に相当する。
【０１４６】
前記ドライブ９００でモータ部４０を回転させるための回転情報が生産されると、モータ部４０に伝達され、モータ部は、予め定められた回転情報に対応する駆動が行われる。この時、モータが回転する動力は、外部から別途に電源線５０によって供給される。例えば、電気信号１を送る電圧は５Ｖ、モータ部４０を駆動させる電圧は１２Ｖになる。前記電源線５０は、ギヤ群３０に連結されて動力を伝達することができる。すなわち、前記動力は、ドライブ９００またはモータ部４０に連結されて伝達される。
【０１４７】
伝達された前記動力は、モータ部４０を回転させ、モータ部４０の軸と連結されている製氷トレイ１００の一側部を回転させることができる。製氷トレイ１００は、一側部がモータ部４０と連結されてモータ部の回転によって全区間ともに回転し、他側部はストッパ（図示せず）などに係止されて予め定められた区間だけともに回転することができる。前記全区間だけが除かれた予め定められた区間は、製氷トレイ１００の一側部のみ回転するように駆動されるので、製氷トレイ１００はツイスト（ｔｗｉｓｔ）される。製氷水を収容し零下の温度に配置される製氷トレイ１００は、前記製氷水が氷に状態変化すると（製氷されると）、これを移氷するために製氷トレイ１００がツイストされて、前記氷が移氷することができる。
【０１４８】
したがって、製氷された氷の移氷のために製氷トレイ１００をツイストさせるが、この時、モータ部４０を駆動して製氷トレイ１００をツイストさせることができ、モータ部４０は、電気信号１に基づいてドライブ９００によって回転情報として生産されて伝達される。すなわち、本実施形態では、回転情報となる電気信号１を交差出力部５００の選択的な伝送によって決定されて、製氷を行うことができる。
【０１４９】
図３に示されるように、信号送信部（ＭＩＣＯＭ）５００から伝達された電気信号１は、信号変換器（ＳＩＧＮＡＬ  ＣＯＮＶＥＲＴＥＲ）と電気信号１を送受信して回転情報に変換し、モータドライバ（ＭＯＴＯＲ  ＤＲＩＶＥＲ）に伝送することができる。伝送された回転情報（変換された電気信号）に対応するようにモータ部４０は回転可能である。
【０１５０】
図１３および図１４は、本発明の第３実施形態に係る製氷機１０の作動を説明するための図である。
【０１５１】
図１３および図１４を参照すれば、製氷機１０は、電気信号２を送信する信号送信部７００ａと、信号受信部６００ａと、動作部８００ａと、製氷トレイ２００ａとを含むことができる。
【０１５２】
具体的には、信号送信部７００ａは、電気信号２を送信して、前記電気信号２に含まれた情報に基づいて動作部８００ａが駆動されるようにしてもよい。信号送信部７００ａから伝送された前記電気信号２は、信号受信部６００ａに伝達される。伝達される方向は、電気信号に最終的に電気信号２の伝達される駆動部の動作情報を決定することができる。
【０１５３】
さらに、前記電気信号２に含まれた情報は、電気信号２がパルス形態で伝達される場合、異なるｐｐｓ（ｐｕｌｓｅ  ｐｅｒ  ｓｅｃｏｍｄ）で伝達され、各ｐｐｓ（ｐｕｌｓｅ  ｐｅｒ  ｓｅｃｏｍｄ）はそれぞれ特定情報を含むことができる。例えば、１８０ｐｐｓで伝達される場合には正回転、５００ｐｐｓで伝達される場合には逆回転で駆動部が駆動できる。前記のような回転方向に関連する情報だけでなく、回転角度およびトルクなどを含む情報になってもよい。そして、０、１、−１などのデジタル信号の場合には、複数の信号線ごとに伝達される信号組合せの結果から回転方向、回転角度およびトルクなどが決定される。
【０１５４】
前記電気信号２は、信号受信部６００ａに受信されて、動作部８００ａに伝達される。前記動作部８００ａは、前記電気信号を受信して駆動できる。ここで、動作部８００ａは、ドライブ９００ａと、モータ部１２０ａとを含むことができる。ドライブ９００ａは、モータ部１２０ａが駆動される情報を伝達することにより、モータ部１２０ａが回転する回転情報を生産することができる。ここで、生産は、予め受信された電気信号２に含まれた情報を解析する過程であって予め定められた規則によることができ、前記予め定められた規則は、上述した電気信号２に含まれた情報について記述した内容に相当する。
【０１５５】
前記ドライブ９００ａでモータ部１２０ａを回転させるための回転情報が生産されると、モータ部１２０ａに伝達され、モータ部は、予め定められた回転情報に対応する駆動が行われる。この時、モータが回転する動力は、外部から別途に電源線５０ａによって供給される。例えば、電気信号２を送る電圧は５Ｖ、モータ部１２０ａを駆動させる電圧は１２Ｖになる。前記電源線５０ａは、動作部８００ａに連結されて動力を伝達することができる。すなわち、前記動力は、ドライブ９００またはモータ部４０に連結されて伝達される。
【０１５６】
伝達された前記動力は、モータ部１２０ａを回転させ、モータ部１２０ａの軸と連結されている製氷トレイ２００ａの一側部を回転させることができる。製氷トレイ２００ａは、一側部がモータ部１２０ａと連結されてモータ部の回転によって全区間ともに回転し、他側部はストッパ（図示せず）などに係止されて予め定められた区間だけともに回転することができる。前記全区間だけが除かれた予め定められた区間は、製氷トレイ２００ａの一側部のみ回転するように駆動されるので、製氷トレイ２００ａはツイスト（ｔｗｉｓｔ）される。製氷水を収容し零下の温度に配置される製氷トレイ２００ａは、前記製氷水が氷に状態変化すると（製氷されると）、これを移氷するために製氷トレイ２００ａがツイストされて、前記氷が移氷することがきる。
【０１５７】
したがって、製氷された氷の移氷のために製氷トレイ２００ａをツイストさせるが、この時、モータ部１２０ａを駆動して製氷トレイ２００ａをツイストさせることができ、モータ部１２０ａは、電気信号２に基づいてドライブ９００ａによって回転情報として生産されて伝達される。
【０１５８】
そして、０、１、−１などのデジタル信号の場合には、複数の信号線ごとに伝達される信号組合せの結果から回転速度、回転方向、回転角度およびトルクなどが決定される。すなわち、電気信号はバイポーラ（ｂｉｐｏｌａｒ）形式であってもよい。もちろん、ユニポーラ（ｕｎｉｐｏｌａｒ）形式であってもよい。例えば、１、０の信号であるデジタル信号の場合にも、各信号の組合せにより回転速度、回転方向、回転角度およびトルクが決定される。すなわち、電気信号は、バイポーラ（ｂｉｐｏｌａｒ）およびユニポーラ（ｕｎｉｐｏｌａｒ）のうちの１つ以上が適用可能である。
【０１５９】
図５に示されるように、１２Ｖの直流電気は、信号送信部（ＭＩＣＯＭ）５００から伝達された電気信号１によって駆動されるモータ部４０を駆動する電力になってもよい。これは、信号伝逹電力でない別途の電力を受けてモータ部４０が駆動されることを意味するが、これに限定されない。また、別途の電力が供給される時は、直流１２ボルトの電圧が供給される。
【０１６０】
図１５および図１６は、本発明の第４実施形態に係る製氷機の作動を説明するための図である。
【０１６１】
図１５および図１６を参照すれば、製氷機１０は、回転信号３を送信する信号送信部７００ｂと、信号受信部６００ｂと、モータ部１２０ｂと、製氷トレイ２００ｂとを含むことができる。
【０１６２】
具体的には、信号送信部７００ｂは、前記回転信号３を送信して、前記回転信号３によってモータ部１２０ｂが回転するようにしてもよい。信号送信部７００ｂから信号受信部６００ｂが伝送された前記回転信号３は、最終的に電気信号１の伝達される駆動部の動作情報を決定することができる。
【０１６３】
さらに、前記回転信号３に含まれた情報は、回転信号３がパルス形態で伝達される場合、異なるｐｐｓ（ｐｕｌｓｅ  ｐｅｒ  ｓｅｃｏｍｄ）で伝達され、各ｐｐｓ（ｐｕｌｓｅ  ｐｅｒ  ｓｅｃｏｍｄ）はそれぞれ特定情報を含むことができる。例えば、１８０ｐｐｓで伝達される場合には正回転、５００ｐｐｓで伝達される場合には逆回転でモータ部１２０ｂが駆動できる。前記のような回転方向に関連する情報だけでなく、回転角度およびトルクなどを含む情報になってもよい。
【０１６４】
そして、０、１、−１などのデジタル信号の場合には、複数の信号線ごとに伝達される信号組合せの結果から回転速度、回転方向、回転角度およびトルクなどが決定される。すなわち、電気信号は、バイポーラ（ｂｉｐｏｌａｒ）形式であってもよい。もちろん、ユニポーラ（ｕｎｉｐｏｌａｒ）形式であってもよい。例えば、１、０の信号であるデジタル信号の場合にも、各信号の組合せにより回転速度、回転方向、回転角度およびトルクが決定される。すなわち、電気信号は、バイポーラ（ｂｉｐｏｌａｒ）およびユニポーラ（ｕｎｉｐｏｌａｒ）のうちの１つ以上が適用可能である。
【０１６５】
信号送信部７００ｂから送信される電気信号１は、信号受信部６００ｂに受信されて、駆動部１２０ｂに伝達することができる。前記モータ部１２０ｂは、前記電気信号を受信して駆動できる。信号受信部６００ｂは、モータ部４０が駆動される情報を伝達することにより、モータ部４０が回転する回転情報を伝達することができる。すなわち、伝達された情報を別途に加工または解析なしに、デジタルまたはパルス信号によってモータ部１２０ｂは駆動できる。すなわち、上述した電気信号１に含まれた情報について記述した内容に相当する。
【０１６６】
前記モータ部１２０ｂを回転させるための回転情報３が受信されると、モータ部１２０ｂは、予め定められた回転情報３に対応する駆動が行われる。この時、モータ部１２０ｂが回転する動力は、外部から別途に電源線５０ｂによって供給される。例えば、回転信号３を送る電圧は５Ｖ、モータ部１２０ｂを駆動させる電圧は１２Ｖになる。前記電源線５０ｂは、モータ部１２０ｂに連結されて動力を伝達することができる。すなわち、前記動力は、モータ部４０に連結されて伝達される。
【０１６７】
伝達された前記動力は、モータ部１２０ｂを回転させ、モータ部１２０ｂの軸と連結されている製氷トレイ２００ｂの一側部を回転させることができる。製氷トレイ１００は、一側部がモータ部１２０ｂと連結されてモータ部の回転によって全区間ともに回転し、他側部はストッパ（図示せず）などに係止されて予め定められた区間だけともに回転することができる。前記全区間だけが除かれた予め定められた区間は、製氷トレイ２００ｂの一側部のみ回転するように駆動されるので、製氷トレイ２００ｂはツイスト（ｔｗｉｓｔ）される。製氷水を収容し零下の温度に配置される製氷トレイ２００ｂは、前記製氷水が氷に状態変化すると（製氷されると）、これを移氷するために製氷トレイ２００ｂがツイストされて、前記氷が移氷することができる。
【０１６８】
したがって、製氷された氷の移氷のために製氷トレイ１００をツイストさせるが、この時、モータ部１２０ｂを駆動して製氷トレイ１００をツイストさせることができ、モータ部４０は、回転情報３として生産されて伝達される。すなわち、本実施形態では、信号送信部７００ｂから送信される回転信号３が信号受信部６００ｂを経てモータ部１２０ｂに伝送されて、製氷を行うことができる。
【０１６９】
図７に示されるように、１２Ｖの直流電気は、信号送信部（ＭＩＣＯＭ）５００から伝達された電気信号１によって駆動されるモータ部４０を駆動する電力になってもよい。これは、信号伝逹電力でない別途の電力を受けてモータ部４０が駆動されることを意味するが、これに限定されない。また、別途の電力が供給される時は、直流１２ボルトの電圧が供給される。
【０１７０】
以上、本発明の代表的な実施形態を詳細に説明したが、本発明の属する技術分野における通常の知識を有する者は、上述した実施形態について本発明の範疇を逸脱しない限度内で多様な変形が可能であることを理解するであろう。そのため、本発明の権利範囲は、説明された実施形態に限って定められてはならず、後述する特許請求の範囲だけでなく、この特許請求の範囲と均等なものによって定められなければならない。
【符号の説明】
【０１７１】
１、３：電気信号
２：回転信号
１０：製氷機
２０：駆動部
３０：ギヤ群
４０：モータ部
４１：ピニオン
４１ａ：モータ軸
４２：ギヤード
５０、５０ａ、５０ｂ：電源線
３１、１１０：ギヤ部
１００、１００ａ、１００ｂ：製氷トレイ
１０１：収容部
１１１：第１−１ギヤ
１１２：第１−２ギヤ
１１３：第２−１ギヤ
１１４：第２−２ギヤ
３２、１２０：出力部
１２１：第１出力部
１２２：第２出力部
１２３：出力軸
１５０：高速連結部
１６０：高トルク連結部
２１１：第２ギヤ
２１２：第１ギヤ
２２０ａ：連結部
２２１：第２合わせギヤ
２２２：第１合わせギヤ
３１０：ウォームギヤ
３２１：ウォームホイール
４１０：小ギヤ
４１１：第２連結部
４２０：ミドルギヤ
４２１：第２ミドルギヤ
４２２：第１ミドルギヤ
４３１：第１連結部
５００：交差出力部
６００、６００ａ、６００ｂ：信号受信部
７００、７００ａ、７００ｂ：信号送信部
８００、８００ａ：動作部
９００、９００ａ：ドライブ
【図１】
2019519747.tif 000003
【図２】
2019519747.tif 000004
【図３】
2019519747.tif 000005
【図４】
2019519747.tif 000006
【図５】
2019519747.tif 000007
【図６】
2019519747.tif 000008
【図７（ａ）】
2019519747.tif 000009
【図７（ｂ）】
2019519747.tif 000010
【図８】
2019519747.tif 000011
【図９（ａ）】
2019519747.tif 000012
【図９（ｂ）】
2019519747.tif 000013
【図１０】
2019519747.tif 000014
【図１１】
2019519747.tif 000015
【図１２】
2019519747.tif 000016
【図１３】
2019519747.tif 000017
【図１４】
2019519747.tif 000018
【図１５】
2019519747.tif 000019
【図１６】
2019519747.tif 000020
【国際調査報告】
2019519747.tif 000021
2019519747.tif 000022
2019519747.tif 000023
2019519747.tif 000024